(57)【特許請求の範囲】
【請求項１】
本体にソフト収納ケースを挿脱自在とした開放部を設けると共に、本体の周壁部に前記開放部の少なくとも一部を遮りソフト収納ケースに対面するケース離脱防止用のストッパーを具備させてあり、開錠具である磁石の吸着力により本体の周壁外面部にスライド自在に取り付けた移動体を移動せしめることによって移動体とストッパーとの係合を解除し、これによりストッパーを開放部外に移動し得るようにしたソフト収納ケースの保持具であって、本体の周壁部に前記移動体を囲む包囲壁を設けると共に移動体の一端と対向する包囲壁部分に磁石が一定量だけ挿入される貫通孔を設け、前記貫通孔を介して一定量だけ挿入された磁石に移動体が吸着したときにのみ移動体とストッパーとの係合が解除され得るようにしてあるソフト収納ケースの保持具。
【発明の詳細な説明】
【０００１】
【発明の属する技術分野】
この発明は、所謂ＣＤソフトやファミコンソフト等の販売店やレンタル店で、前記ソフトを収納したケース（この明細書ではソフト収納ケースという）を陳列するときに使用されているソフト収納ケースの保持具に関するものである。
【０００２】
【従来の技術】
ＣＤソフト収納ケースの保持具としては、図９に示す如く、側部にＣＤケースを挿脱するための開放部９０ａを有した本体９０と、前記本体９０の底部に出没可能に設けられたケース受け部材９１と、前記ケース受け部材９１を移動不能して本体９０からのＣＤソフト収納ケースの取り出しを不能にするロック機構９２とから構成されたものがある。このものでは、図１０に示すように、強力な吸着力を有する磁石９３によりロック機構９２を構成する軸体９２ａをバネ９２ｂの付勢力に抗して下方に移動せしめ、軸体９２ａと受け部材９１との係合を解除することによりＣＤソフト収納ケースの取り出しを可能ならしめている。
【０００３】
上記ＣＤソフト収納ケースの保持具では、本体９０の後壁内面側に盗難検知用のタグ（図示せず）が付されており、保持具の付いたＣＤソフト収納ケースをそのまま店外に持ち出そうとすると、店の出入口に設置されたゲートを通過するときに検知されるようになっている。
【０００４】
したがって、保持具により保持された希望するＣＤソフト収納ケースをゲート前のカウンターで一旦店員に手渡し、前記ロック機構９２を解除してもらわなければ店外に持ち出すことができず、これにより盗難は防止される。
【０００５】
しかしながら、上記ＣＤソフト収納ケースの保持具では、強力な吸着力を有する磁石を所有していれば店員以外の者でもロック機構９２を解除できることから、上記のようなゲートシステムを使用していても、盗難が有効に防止できないという問題が発生し得る。
【０００６】
【発明が解決しようとする課題】
そこで、この発明では、ソフトの盗難が有効に防止できるソフト収納ケースの保持具を提供することを課題とする。
【０００７】
【課題を解決するための手段】
この発明では、本体にソフト収納ケースを挿脱自在とした開放部を設けると共に、本体の周壁部に前記開放部の少なくとも一部を遮りソフト収納ケースに対面するケース離脱防止用のストッパーを具備させてあり、開錠具である磁石の吸着力により本体の周壁外面部にスライド自在に取り付けた移動体を移動せしめることによって移動体とストッパーとの係合を解除し、これによりストッパーを開放部外に移動し得るようにしたソフト収納ケースの保持具であって、本体の周壁部に前記移動体を囲む包囲壁を設けると共に移動体の一端と対向する包囲壁部分に磁石が一定量だけ挿入される貫通孔を設け、前記貫通孔を介して一定量だけ挿入された磁石に移動体が吸着したときにのみ移動体とストッパーとの係合が解除され得るようにしてある。
【０００８】
このソフト収納ケースの保持具では上記したように、本体の周壁部に前記移動体を囲む包囲壁を設けると共に移動体の一端と対向する包囲壁部分に磁石が一定量だけ挿入される貫通孔を設け、前記貫通孔を介して一定量だけ挿入された磁石に移動体が吸着したときにのみ移動体とストッパーとの係合が解除され得るようにしてある。したがって、強力な吸着力を有する磁石により移動体を吸着移動せしめた場合には移動体とストッパーとの係合は解除できず、ストッパーを開放部外に移動できない。つまり、磁石が貫通孔を介して一定量だけ挿入されるような開錠具でない限り、ソフト収納ケースの保持具における本体からソフト収納ケースを取り外すことができない。よって、この発明のソフト収納ケースの保持具を用いれば、ソフトの盗難が有効に防止できる。
【０００９】
【発明の実施の形態】
以下、この発明の実施の形態を図面に従って説明する。
【００１０】
この実施形態のソフト収納ケースの保持具は基本的には図１や図２に示すように、本体１にＣＤソフト収納ケースＫを挿脱自在とした開放部１０を設けると共に、本体１の周壁部１１ａに前記開放部１０の少なくとも一部を遮りソフト収納ケースに対面するケース離脱防止用のストッパー２を具備させてなるもので、図５に示すように、開錠具８の磁石８０の吸着力により本体１の周壁部１１ａの外面側にスライド自在に取り付けた移動体３を移動せしめることによって移動体３とストッパー２との係合を解除せしめ、これにより図３に示す如くストッパー２を開放部１０外に移動できるようにしてある。
【００１１】
なお、上記保持具では、図５に示すように、本体１の周壁部１１ａに前記移動体３を囲む包囲壁４を設けると共に移動体３の一端と対向する包囲壁４部分に磁石８０が挿入される貫通孔４０を設け、前記貫通孔４０を介して（全体が）挿入された磁石８０に移動体３が吸着したときにのみ移動体３とストッパー２との係合が解除され得るようにしてある。
【００１２】
以下に、この保持具の各構成等についてを詳述する。
〔本体１の構成について〕
本体１は、図３に示すように、前面を開放部１０とする前面視正方形状に形成された透明容器であり、前記開放部１０の下角部に小さな固定ストッパ１３ａを設けると共にこれと対向する後壁１２部分に三角形状の孔１３ｂを設けてある。また、この本体１の後壁１２には、図３に示すように、バーコードが印刷された紙片を貼設するための貼設部１４（この部分については壁厚を小さくしてある）を設けてあると共に前記貼設部１４にはソフト収納ケースＫの本体１からの離脱を容易ならしめる押出孔１５を設けてある。更に、図３に示すように、この本体１の周壁部１１ｂにはＣＤソフト収納ケースに施されたタイトルを拡大するための凸レンズＬを設けてあり、他方、周壁１１ａには対向する一対の短直立片４１，４１とこれらの前側縁相互を繋ぐ長直立片４２とから成る包囲壁４を設けてある。なお、こお包囲壁４の短直立片４１には、図３に示すように、貫通孔４０を設けてあり、この貫通孔４０から開錠具８の磁石８０が挿入し得るようにしてある。
〔ストッパー２の構成について〕
ストッパー２は、図３に示すように、断面Ｌ字状に形成された細長いもので、三つの係合突起２２を有し且つ周壁部１１ａにおける短直立片４１，４１の後側縁相互間に揺動自在に取り付けられた片２０と、前記片２０から直角方向に延設された片２１とから構成されている。
【００１３】
なお、上記片２１の前面側には図１に示すように、浅い凹み部２１ａを設けてあり、この凹み部２１ａにＣＤソフトの内容のジャンル等を印刷した紙片を貼設し得るようになっている。
〔移動体３の構成について〕
移動体３は、図４に示すように、断面コ字状の細長い板状のもので、横片３１の両縁に断続的に設けた縦片３０とから構成されている。前記横片３１には、図４に示すように、横孔部３１ａと縦孔部３１ｂとから成る平面視Ｔ字状の孔が上記係合突起２２に対応して穿設されていると共に前記縦孔部３１ａの横には傾斜面部３２が形成されている。なお、この移動体３は、図３や図４に示すように、長直立片４２の内面に設けられた突起４２ａによりストッパ２の揺動中心線方向に対しては移動可能であるが、上方に対して抜け止め状態となっている。
【００１４】
また、上記移動体３の一端縁には、図３や図４に示すように、取付け部３３ａと挿入部３３ｂとから成る磁性金属板３３を取り付けてあり、同図に示す如く、挿入部３３ｂにコイルバネＢを外挿する態様で貫通孔４０と反対側（左側）に付勢してある。なお、移動体３は、コイルバネＢの付勢力により最も左側に移動しいている場合には係合突起２２と傾斜面部３２とが対応するように設定してあり、逆にコイルバネＢの付勢力に抗して最も貫通孔４０側（右側）に移動している場合には突起２２と横片３１の縦孔部３１ｂの左側部分とが対応するように設定してある。
〔開錠具８の構成について〕
開錠具８は、図５に示すように、手で保持される樹脂部８１と上記した貫通孔４０に挿入される円柱状の磁石部８０（先端部だけが磁石になっているものでもよい）とから構成されている。そして、樹脂部８１から突出する磁石部８０の全体を貫通孔４０に挿入した状態において前記磁石部８０の端部に磁性金属板３３の端部が吸着された場合、すなわちコイルバネＢの付勢力に抗して最も貫通孔４０側（右側）に移動している場合には、図５に示すように、係合突起２２と縦孔部３１ｂとが対応するようになっている。
〔ストッパー２により本体１の開放部１０を遮る場合〕
ストッパ２を図３の状態から図１の状態に揺動操作すると、図６に示す如く、係合突起２２からの傾斜面部３２への押圧力により移動体３はコイルバネＢの付勢力に抗して右側に移動せしめられ、係合突起２２は縦孔部３１ｂ及び横孔部３１ａの中央部に挿入状態となる。前記挿入状態になると、移動体３は図７に示す如くコイルバネＢの付勢力により左側に移動せしめられ、移動体３と係合突起２２は係止状態となる（図８参照）。即ち、ストッパ２が本体１の開放部１０を遮った状態で維持される。
〔ストッパー２による本体１の開放部１０への遮りを外す場合〕
図５に示す如く、樹脂部８１から突出する磁石８０の全体を貫通孔４０に挿入する。この状態で前記磁石８０の端部に磁性金属板３３の端部が吸着されると、コイルバネＢの付勢力に抗して移動体３は図５に示す如く移動し、係合突起２２と縦孔部３１ｂと対向した状態となる。この状態においてストッパー２を揺動させると、係合突起２２は縦孔部３１ｂ及び横孔部３１ａの中央部から抜け、これによりストッパー２による本体１の開放部１０への遮りを外すことができる。
〔ソフト収納ケースＫの他の態様〕
このソフト収納ケースの保持具では、保持する対象物をＣＤソフト収納ケースとしているが、これに限定されることなく、本体の形状等を変えることにより所謂ＬＤソフトやＭＤソフトの収納ケース並びにファミコンソフト収納ケースを保持する対象物とすることも可能である。
【００１５】
【発明の効果】
この発明は上記構成を有するものであるから以下の効果を奏する。
【００１６】
課題を解決するための手段の欄の後部に記載した内容から、ソフトの盗難が有効に防止できるソフト収納ケースの保持具を提供できた。
【図面の簡単な説明】
【図１】この実施形態のソフト収納ケースの保持具の外観斜視図。
【図２】前記ソフト収納ケースの保持具の本体にＣＤソフト収納ケースが収容された状態を示す斜視図。
【図３】前記ソフト収納ケースの保持具において、ストッパー２による本体１の開放部１０への遮りを外した状態を示す外観斜視図。
【図４】前記ソフト収納ケースの保持具の分解斜視図。
【図５】前記ソフト収納ケースの保持具の貫通孔に開錠具である磁石を挿入した状態を示す断面図。
【図６】前記ソフト収納ケースの保持具において、ストッパーにより本体の開放部を遮る場合の説明図。
【図７】前記ソフト収納ケースの保持具において、ストッパーにより本体の開放部を遮る場合の説明図。
【図８】前記ソフト収納ケースの保持具において、係合突起と移動体との係止状態を示す断面図。
【図９】先行技術のソフト収納ケースの保持具の要部断面図。
【図１０】先行技術のソフト収納ケースの保持具のロック機構を開いた状態を示す断面図。
【符号の説明】
１      本体
２      ストッパー
３      移動体
４      包囲壁
８      開錠具
４０    貫通孔
８０    磁石
【図１】
0003680289.tif 000002
【図２】
0003680289.tif 000003
【図３】
0003680289.tif 000004
【図４】
0003680289.tif 000005
【図５】
0003680289.tif 000006
【図６】
0003680289.tif 000007
【図７】
0003680289.tif 000008
【図８】
0003680289.tif 000009
【図９】
0003680289.tif 000010
【図１０】
0003680289.tif 000011